(57)【要約】  紙葉類間の綴着強度を確保することが可能な紙綴じ具を提供することを目的とする。保持部が保持する突部の向きによって、突部の回動方向および切片の突出方向が向き合い、かつ向き合った切片同士がなす角度が略９０度から略１８０度の範囲内となるように、切片が折り曲げられること、を特徴とする。
2011052150.tif 000002
【特許請求の範囲】
【請求項１】
重なった複数の紙葉類に対し、一部を切り離すことにより穿孔を行いつつ、該穿孔された孔の近傍に切込みを形成し、かつ切り離された略舌状の切片を該切込みに係合させて該紙葉類を綴じる紙綴じ具であって、
基台と、
前記基台の両側方から立設する一対の支持板と、
前記支持板に回動可能に支持される把手部材と、
前記紙葉類に穿孔を行って前記切片を形成する一対のパンチ刃と、
前記把手部材の回動にともなって回動され、前記穿孔によって形成された前記切片に対し押し当たって該切片を前記紙葉類の方向に折り曲げる一対の突部と、
前記紙葉類に対し前記切片が係合可能な切込を形成する一対の切込み刃と、
前記支持板それぞれの間に配置され、かつ前記把手部材または前記基台により、該把手部材と該基台との間を該把手部材の回動にともなって移動可能に支持され、かつ前記パンチ刃及び前記突部を保持するとともに、該パンチ刃それぞれの間において前記切込刃を保持する保持部と、を備え、
前記保持部が保持する前記突部の向きによって、該突部の回動方向および前記切片の突出方向が向き合い、かつ向き合った該切片同士がなす角度が略９０度から略１８０度の範囲内となるように、該切片が折り曲げられること、
を特徴とする紙綴じ具。
【請求項２】
前記把手部材は、前記回動軸側を基部として先端が前記基台と離隔する方向に突出し、
前記把手部材および前記支持板に挿通され、該把手部材を回動させるための回動軸と、
前記回動軸の近傍かつ、該回動軸と前記把手部材における突出方向の先端に配置され、
かつ該把手部材が前記基台方向に回動されると、前記保持部を該基台に向かって押し下げる前記押圧軸と、
前記基台または前記支持板に設けられ、前記把手部材の回動にともなう前記押圧軸の移動方向を案内するガイド穴と、を備え、
前記回動軸の軸中心は、前記ガイド穴の長手方向の両端を結ぶ線分の垂直２等分線上に位置すること、
を特徴とする請求項１に記載の紙綴じ具。
【請求項３】
前記把手部材および前記支持板に挿通され、該把手部材を回動させるための回動軸と、
前記回動軸の近傍かつ、該回動軸と前記把手部材における突出方向の先端との間において、該把手部材および前記支持板に挿通され、かつ該把手部材が前記基台方向に回動されると、前記保持部を該基台に向かって押し下げる前記押圧軸と、
前記保持部と前記基台との間に前記紙葉類を配置する配置領域と、を備え、
前記保持部は、前記把手部材側において前記押圧軸と接する天面部と、前記基台上の前記紙葉類を押さえる底面部と、を有しており、
前記天面部と前記底面部との間には、該天面部と該底面部とを離隔させる方向に付勢する弾性部材が設けられており、
前記把手部材が回動されると、前記押圧軸を介し、前記弾性部材の付勢に抗して前記天面部が押し下げられ、
前記パンチ刃が前記基台上の前記紙葉類に当接する前に、前記天面部の押し下げによって、前記底面部における該基台側の面が該紙葉類に押し当てられ、該紙葉類が保持され、
前記把手部材がさらに回動されると、前記天面部がさらに押し下げられ、前記パンチ刃が前記保持された紙葉類に穿孔を行うこと、
を特徴とする請求項１に記載の紙綴じ具。
【請求項４】
重なった複数の紙葉類に対し、一部を切り離すことにより穿孔を行いつつ、該穿孔された孔の近傍に切込みを形成し、かつ切り離された略舌状の切片を該切込みに係合させて該紙葉類を綴じる紙綴じ具であって、
基台と、
前記基台の両側方から立設する一対の支持板と、
前記支持板に回動可能に支持される把手部材と、
前記紙葉類に穿孔を行って前記切片を形成する一対のパンチ刃と、
前記把手部材の回動にともなって回動され、前記穿孔によって形成された前記切片に対し押し当たって該切片を前記紙葉類の方向に折り曲げる一対の突部と、
前記紙葉類に対し前記切片が係合可能な切込を形成する一対の切込み刃と、
前記支持板それぞれの間に配置され、かつ前記把手部材または前記基台により、該把手部材と該基台との間を該把手部材の回動にともなって移動可能に支持され、かつ前記パンチ刃及び前記突部を保持するとともに、該パンチ刃それぞれの間において前記切込み刃を保持する保持部と、を備え、
前記保持部は、前記突部それぞれを互いに向き合うように、かつ該突部の向く方向を結んだ角度が略９０度から略１８０度の範囲内となるように保持すること、
を特徴とする紙綴じ具。
【発明の詳細な説明】
【技術分野】
【０００１】
本発明は、複数枚の紙葉類に穿孔して紙葉類を一体に綴じることが可能な紙綴じ具に関する。特に、本発明は、ステープラー等におけるステープルや、糊材を用いることなく、紙葉類を穿孔するときに形成される舌片を用いて複数の紙葉類を綴じる技術に関する。
【背景技術】
【０００２】
一般に、複数の紙葉類を綴じる綴じ具としては、ステープラーが用いられている。ステープラーは、紙葉類を挟み押し付けることによりステープルの先端を紙葉類に貫通させ、貫通させた穴にステープルを通して紙葉類を一体に留めつけることができる器具である。【０００３】
このステープラーは、簡易な作業で紙葉類を綴じることができる利点を有する一方、危険性や不都合がある。すなわちステープラーは、ステープルがユーザーの指等に刺さってしまうおそれを有している。また綴じられた紙葉類をシュレッダーでせん断する際に、紙葉類からステープルを取り外す作業が煩雑である。【０００４】
また、ユーザーが紙葉類から取り外されたステープルを見失ってしまうおそれもある。さらにユーザーが誤って、ステープルがついたまま綴じられた紙葉類を、複写機等のＡＤＦ（Ａｕｔｏ Ｄｏｃｕｍｅｎｔ Ｆｅｅｄｅｒ）もしくはシュレッダーに入れてしまうことがある。このようなミスによって、ＡＤＦやシュレッダー等の破損を招くおそれがある。【０００５】
なお、ステープルの代わりに糊を用いたステープラーも提案されている（例えば特許文献１を参照）。しかしこのようなステープラーは、ユーザーによる糊の補充や交換が困難であるという問題を有している。また糊によって綴じられた紙葉類の接着強度を高めつつ、糊の塗布を円滑に行いうるように構成することは困難である。【０００６】
上述のようにステープラーはさまざまな課題を有している。これに対し従来、ステープルや糊等のような綴着材を用いずに、紙葉類を綴じる紙綴じ具が提案されている（例えば、特許文献２および特許文献３を参照）。綴着材を用いない紙綴じ具における紙綴じ工程は、例えば次の通りである。【０００７】
まずこの紙綴じ具では、穴あけパンチのように複数の紙葉類を重ねた状態で、パンチ刃を押し当て穿孔する。ただし、この紙綴じ具は、穴あけパンチと異なり、穿孔時に穿孔部分を紙葉類から完全に切り離さない。具体的には、この紙綴じ具は、複数の紙葉類のそれぞれの一部のみを切り抜くようになっている（特許文献２の第１図〜第３図および第６図〜第８図を参照）。すなわち、この紙綴じ具による穿孔後、各紙葉類は、それから切り離された舌片部分と、当該紙葉類から切り離されていない基部（舌片部分の根元部分）とに分かれる。【０００８】
さらに、このような紙綴じ具は、穿孔動作に前後して、パンチ刃によって切り離された舌片を受け容れるための切込みを形成する（特許文献２の第２図を参照）。この切込みはパンチ刃に隣接して設けられたナイフ（当該第２図の符号３を参照）によって形成される。これに加えて、紙綴じ具は、パンチ刃に付属して設けられたカム（当該第２図の符号５を参照）によって、複数の紙葉類の舌片をまとめて、ナイフによって形成された切込みに押し込む。【０００９】
このようにして、複数の紙葉類は、紙綴じ具によって一体に綴じられる。この綴じられた紙葉類群には、ステープルのような綴着手段が無いので、ユーザーは紙葉類をそのままシュレッダーにかけることができる。またユーザーが紙綴じ具を使用し続けても綴着手段を補充する必要がない。
【先行技術文献】
【特許文献】
【００１０】
【特許文献１】特開２００６−５１６４８号公報
【特許文献２】特公昭４１−３２７８号公報
【特許文献３】特開昭５６−５１３８９号公報
【発明の概要】
【発明が解決しようとする課題】
【００１１】
しかしながら、上述の特許文献２や特許文献３のような従来の紙綴じ具においては、紙葉類の綴着強度が不十分となるおそれがあった。この問題点について図１６、図１７および特許文献２の第１図〜第３図、第６図〜第８図を参照して説明する。図１６は、穿孔後の舌片によって綴じられた紙葉類における、綴着部分（綴じ部分）を示す概略図であって、各めくり方向における綴じ強度を説明するための図面である。図１７は、従来の紙綴じ具による綴着部分３００ａ、３００ｂを示す概略図である。【００１２】
上述のように特許文献２、特許文献３における従来の紙綴じ具では、複数の紙葉類を穿孔して得られた舌片を利用して紙葉類を綴じる。この場合、綴じられた紙葉類をめくる方向によって、綴じ強度に差異が生じる。この綴じ強度について、図１６に示す綴着部分３００に対するめくり方向Ａ〜Ｄの例によって説明する。なお、図１６における綴着部分３００は、紙綴じ具によって紙葉類の一部を穿孔して形成された穴３０１および舌片３０２と、舌片３０２を受け容れる切込み３０３からなる。【００１３】
紙葉類を閲覧している者（以下、単に「閲覧者」という。）が、図１６に示すような綴着部分３００に対し、綴じられた紙葉類をＡ方向からめくると、舌片３０２は切込み３０３から抜けやすく、綴着部分３００から解けやすくなっている。これは、舌片３０２が切込み３０３に受け容れられる方向とは逆の方向に、紙葉類がめくられるからである。【００１４】
これに対し、閲覧者が紙葉類を、図１６におけるＢ方向、Ｃ方向またはＤ方向からめくった場合には、そのめくり動作が、切込み３０３と、切込み３０３に受け容れられた舌片３０２との係合状態に影響を与えるおそれが少ない。図１６の綴着部分３００における各方向からのめくり動作に対する綴じ強度を参照すると、特許文献２や特許文献３における紙綴じ具や紙綴じ方法には次のような問題が生じうる。【００１５】
特許文献２の紙綴じ方法では、当該文献の第６図〜第９図に示される２つの並んだ舌片（符号２５「舌状部」）の突出方向が同じである。このような紙綴じ方法の場合、図１６に示す綴着部分３００における舌片３０２に対してＡ方向（すなわち舌片の突出方向と逆方向）のめくり動作がなされると、綴着が解けやすくなっている。したがって、特許文献２の紙綴じ方法では、綴じられた複数の紙葉類間における綴着強度が弱い。【００１６】
また、特許文献３の紙綴じ具においては、当該文献の第１５図が示す舌片（符号４３ａ）は、それぞれの突出方向が互いに離れる方向となっている。したがって、図１７に示す綴着部分３００ａにおける舌片３０２ａに対しては、Ａ１方向からのめくり動作に弱く、綴着が解けやすい。同様に、綴着部分３００ｂの、舌片３０２ｂに対しては、Ａ２方向からのめくり動作に弱く、綴着が解けやすい。【００１７】
この発明は、以上の問題点に鑑みてなされたものであって、その目的は、ステープルのような綴着材を用いることなく複数の紙葉類を綴着させることが可能であり、かつ、綴じられた紙葉類のめくり方向にかかわらず、紙葉類の綴着強度を確保することが可能な紙綴じ具を提供することにある。
【課題を解決するための手段】
【００１８】
上記の課題を解決するために、請求項１に記載の発明は、重なった複数の紙葉類に対し、一部を切り離すことにより穿孔を行いつつ、該穿孔された孔の近傍に切込みを形成し、かつ切り離された略舌状の切片を該切込みに係合させて該紙葉類を綴じる紙綴じ具であって、基台と、前記基台の両側方から立設する一対の支持板と、前記支持板に回動可能に支持される把手部材と、前記支持板それぞれの間に配置され、かつ前記把手部材と該基台との間を該把手部材の回動にともなって移動可能に支持され、かつ前記紙葉類に穿孔を行って前記切片を形成する一対のパンチ刃と、該把手部材の回動にともなって回動され、該穿孔によって形成された該切片に対し押し当たって該切片を該紙葉類の方向に折り曲げる一対の突部とを保持し、さらに前記紙葉類に対し前記切片が係合可能な切込を形成する一対の切込み刃を、該パンチ刃それぞれの間において保持する保持部と、を備え、前記保持部が保持する前記突部の向きによって、該突部の回動方向および前記切片の突出方向が向き合い、かつ向き合った該切片同士がなす角度が略９０度から略１８０度の範囲内となるように、該切片が折り曲げられること、を特徴とする。
また上記の課題を解決するために、請求項４に記載の発明は、重なった複数の紙葉類に対し、一部を切り離すことにより穿孔を行いつつ、該穿孔された孔の近傍に切込みを形成し、かつ切り離された略舌状の切片を該切込みに係合させて該紙葉類を綴じる紙綴じ具であって、基台と、前記基台の両側方から立設する一対の支持板と、前記支持板に回動可能に支持される把手部材と、前記支持板それぞれの間に配置され、かつ前記把手部材と該基台との間を該把手部材の回動にともなって移動可能に支持され、かつ前記紙葉類に穿孔を行って前記切片を形成する一対のパンチ刃と、該穿孔によって形成された該切片を該紙葉類の方向に折り曲げる一対の突部とを保持し、さらに前記紙葉類に対し前記切片が係合可能な切込を形成する一対の切込み刃を、該パンチ刃それぞれの間において保持する保持部と、を備え、前記保持部は、前記突部それぞれを互いに向き合うように、かつ該突部の向く方向を結んだ角度が略９０度から略１８０度の範囲内となるように保持すること、を特徴とする。
【発明の効果】
【００１９】
上記請求項１、請求項４にかかる紙綴じ具では、保持部が保持する突部の向きに対応して、穿孔して形成された紙葉類の切片の突出方向が向き合っている。また、当該紙綴じ具によって紙綴じ処理された紙葉類は、向き合った当該切片同士がなす角度が略９０度から略１８０度の範囲内となるように、該切片が折り曲げられる。すなわち、向き合った切片同士がなす角度が略９０度から略１８０度の範囲内であるので、切片それぞれが切込みに挿入・係合された方向と逆の方向に紙葉類をめくる動作がされても切片が切込みから外れる事態を防止することができる。したがって、めくり方向によって綴着が解けやすくなる状態を回避し、紙葉類の綴着強度を確保することが可能である。また、紙葉類の切片によって紙葉類を綴着するので、綴着材を用いずに複数の紙葉類を綴着させることが可能である。
【図面の簡単な説明】
【００２０】
【図１Ａ】第１実施形態にかかる紙綴じ具の外形を示す概略斜視図である。
【図１Ｂ】図１Ａの反対側から見た場合における、紙綴じ具の概略斜視図である。
【図２Ａ】第１実施形態にかかる紙綴じ具の外形および紙綴じ具の内部構造を透視した概略上面図である。
【図２Ｂ】穿孔前の舌片処理部等の概要を示すものであり、図２ＡにおけるＡ−Ａ断面の概要を示す概略Ａ−Ａ断面図である。
【図３Ａ】第１実施形態にかかる紙綴じ具において、ハンドルが押し下げられた状態を示す概略左側面図である。
【図３Ｂ】図２ＡにおけるＡ−Ａ断面であって、かつ、紙綴じ具のハンドルが押し下げられ、穿孔、舌片の折り曲げおよび舌片の押し込みが完了した状態における、舌片処理部等の概要を示す概略Ａ−Ａ断面図である。
【図４】第１実施形態において、切込み刃と、穿孔によって形成された舌片との幅の差を概念的に示す概略図である。
【図５Ａ】第１実施形態にかかる紙綴じ具において、舌片処理部の回動前の状態を示す概略底面図である。
【図５Ｂ】第１実施形態にかかる紙綴じ具において、舌片処理部の回動後の状態を示す概略底面図である。
【図６】第１実施形態にかかる紙綴じ具によって紙葉類の角を綴着した状態を示す概略図である。
【図７Ａ】図２ＡにおけるＢ−Ｂ断面であって、かつ、ハンドルの回動前における押さえ部の状態を示す概略Ｂ−Ｂ断面図である。
【図７Ｂ】図２ＡにおけるＢ−Ｂ断面であって、かつ、ハンドルの回動後における押さえ部の状態を示す概略Ｂ−Ｂ断面図である。
【図８】第１実施形態にかかる紙綴じ具における各部の構成および各部の接続関係の概要を示す概略分解斜視図である。
【図９Ａ】第２実施形態にかかる紙綴じ具の外形を示す概略斜視図である。
【図９Ｂ】図９Ａの反対側から見た場合における、紙綴じ具の外形および紙綴じ具の内部構造を透視した概略斜視図である。
【図１０Ａ】第２実施形態にかかる紙綴じ具にであって、ハンドルが回動する前における紙綴じ具の内部構造の状態を透視した概略左側面図である。
【図１０Ｂ】穿孔前の舌片処理部等の概要を示すものであり、図１０ＡにおけるＡ−Ａ断面の概要を示す概略Ａ−Ａ断面図である。
【図１１】図１０ＡにおけるＡ−Ａ断面であって、かつ、紙綴じ具のハンドルが押し下げられ、穿孔、舌片の折り曲げおよび舌片の押し込みが完了した状態における、舌片処理部等の概要を示す概略Ａ−Ａ断面図である。
【図１２】第２実施形態にかかる紙綴じ具によって紙葉類の縁を綴着した状態を示す概略図である。
【図１３Ａ】第２実施形態にかかる紙綴じ具の外形および紙綴じ具の内部構造を透視した概略上面図である。
【図１３Ｂ】図１３ＡにおけるＢ−Ｂ断面であって、かつ、ハンドルの回動前における押さえ部の状態を示す概略Ｂ−Ｂ断面図である。
【図１４】図１３ＡにおけるＢ−Ｂ断面であって、かつ、ハンドルの回動後における押さえ部の状態を示す概略Ｂ−Ｂ断面図である。
【図１５】実施形態にかかる紙綴じ具の変形例によって紙葉類の角を綴着した状態を示す概略図である。
【図１６】従来の紙綴じ具を用いて穿孔後の舌片によって綴じられた紙葉類における、綴着部分を示す概略図である。
【図１７】従来の紙綴じ具による綴着部分を示す概略図である。
【発明を実施するための形態】
【００２１】
以下、本発明の実施形態の一例について図１〜図１５を参照して説明する。
【００２２】
［第１実施形態］
（全体構成）
この発明の第１実施形態にかかる紙綴じ具１００の全体構成の概略について、図１を参照して説明する。図１Ａは、紙綴じ具１００の外形を示す概略斜視図である。図１Ｂは、図１Ａとは反対の側から見た場合における紙綴じ具１００の概略斜視図である。紙綴じ具１００は、その一部を紙葉類から切り離さずに残しつつ、一対のパンチ刃（１２３ｃ等、図２Ｂ）によって紙葉類に穿孔を行う。それにより、まず、紙葉類につながったままの舌状（または方形状）の切片（以下、単に「舌片」という）を形成する。また、紙綴じ具１００は、穿孔とともに、一対の切込み刃（１２２ａ等、図８）により、穿孔により形成された一対の穴の間に一対の切込みを入れる。その後、紙綴じ具１００は、各舌片を折り曲げて切込みに押し込む。これによって、複数の紙葉類を綴じることができる。
【００２３】
紙綴じ具１００の外形の概略を説明する。図１Ａおよび図１Ｂに示すように、紙綴じ具１００は、ベース１０１と、紙葉類を配置するための配置台１０２とを土台（基礎）にしている。また、ベース１０１の両側方には、ベース１０１から離れる方向に立設された一対の支持板１０３ａ、１０３ｂが設けられている。支持板１０３ａ、１０３ｂは、互いに平行に、かつベース１０１の上面に対してほぼ直交するように立設している。
【００２４】
図１Ａおよび図１Ｂに示すように、各支持板１０３ａ、１０３ｂは、ベース１０１の反対側の先端部が配置台１０２側（以下、「背面側」という）に向かって屈曲した、略逆Ｌ字形状を有している。また、各支持板１０３ａ、１０３ｂの先端部には、ハンドル１１０が接続されている。ハンドル１１０と、各支持板１０３ａ、１０３ｂとは、回動軸１１１を介して接続されている。回動軸１１１は、ベース１０１に対してほぼ平行である。また、ハンドル１１０は、支持板１０３ａ、１０３ｂに対し、回動軸１１１を中心として回動可能となっている。
【００２５】
また、図１Ｂに示すように、ハンドル１１０とベース１０１との間には、天板１２０と押さえ部１２１とが設けられている。天板１２０は、ハンドル１１０側に配置されている。押さえ部１２１は、ベース１０１側に配置されている。押さえ部１２１は、配置台１０２に対して所定間隔を空けて設けられている。この所定間隔に相当する領域（配置領域）には、紙綴じ具１００により綴じようとする複数の紙葉類が配置される。また、配置領域の背面側の端部は挿入口１０４である。
【００２６】
なお、ベース１０１、配置台１０２は、本発明の「基台」、「配置領域」の一例に該当する。また、ハンドル１１０は、本発明の「把手部材」の一例に該当する。天板１２０は、本発明の「天面部」の一例に該当する。押さえ部１２１は、本発明の「底面部」を含む一例に該当する。
【００２７】
（動作の概要）
次に、紙綴じ具１００による紙綴じ工程の概略を図２Ａ、図２Ｂ、図３Ａおよび図３Ｂを参照して説明する。
【００２８】
図２Ａは、紙綴じ具１００の外形および紙綴じ具の内部構造を透視した概略上面図である。図２Ａでは、ハンドル１１０および天板１２０を透かして、押圧軸１１２、押さえ部１２１等の内部構造の一部が示されている。図２Ｂは、穿孔前の舌片処理部１２３ａ等の概要を示すものである。図２Ｂは、図２ＡにおけるＡ−Ａ部分の断面の概要を示す概略Ａ−Ａ断面図である。図３Ａは、紙綴じ具１００のハンドル１１０が押し下げられた状態を示す概略左側面図である。図３Ｂは、図２ＡにおけるＡ−Ａ部分の断面を示すものであり、ハンドル１１０が押し下げられて穿孔動作、舌片の折り曲げ動作および舌片の押し込み動作が完了した状態における、舌片処理部１２３ａ等の概要を示す概略Ａ−Ａ断面図である。なお、図３Ｂにおいては、図の明瞭さの確保のため、綴じられる紙葉類の図示を省略している。
【００２９】
押圧軸１１２はハンドル１１０に支持されている。押圧軸１１２は、天板１２０のハンドル１１０側の面（以下、「上面」という。）に当接している。ハンドル１１０がベース１０１側に回動されると、押圧軸１１２はこの回動動作にしたがって、自身に当接している天板１２０をベース１０１側に押し下げる。ここで天板１２０は、ベース１０１に向かって突出する、略直線状のガイドポスト１２０ａ（図７Ａ参照）、１２０ｂ（図８参照）を備えている。ガイドポスト１２０ａ、１２０ｂは、それぞれ、図２Ａに示すような押さえ部１２１の第１筒部１２１ａ、１２１ｂの内部に挿通されている。したがって、ハンドル１１０の回動動作にしたがって、天板１２０は、第１筒部１２１ａ、１２１ｂに案内されて、垂直（ベース１０１の上面に直交する方向）に降下する。
【００３０】
次に、切込み刃１２２ａおよび舌片処理部１２３ａの構成および動作の概要を説明する。切込み刃１２２ａは、紙葉類に切込みを形成する板状の刃である。舌片処理部１２３ａは、紙葉類の綴着に用いる舌片を形成する。さらに舌片処理部１２３ａは、形成した舌片を折り曲げて切込みに押し込んで係合させる部材である。図２Ｂおよび図８に示すように、切込み刃１２２ａは、切込み刃保持部１２２を介して天板１２０に保持されている。切込み刃１２２ａは、天板１２０側からベース１０１、配置台１０２の方向へ向かって延びている。
【００３１】
舌片処理部１２３ａは、天板１２０に対し回動可能に支持されている。舌片処理部１２３ａの回動方向は、例えば、紙葉類の差込方向に対して約４５°から約９０°内側に傾いた方向となる。ここで、回動方向が「内側に傾く」とは、紙綴じ具１００の背面と正面とを結ぶ紙綴じ具１００の中心線（図２Ａ中のＢ−Ｂ線）へ向かって舌片処理部１２３ａが回動することを意味する。また、舌片処理部１２３ａは、この軸支部分を基部として、ベース１０１、配置台１０２の上面へ向かって突出している。また、舌片処理部１２３ａの突出方向先端は略鉤状に形成されている。基部側も同様に、当該鉤とほぼ同方向に突出した略鉤状部（図３Ｂ中の符号１２３０参照）に形成されている。また、舌片処理部１２３ａにおける略鉤状の先端は、パンチ刃１２３ｃと突部１２３ｅによって構成されている。突部１２３ｅは、パンチ刃１２３ｃから舌片処理部１２３ａの回動方向へ向かって突出している。
【００３２】
図３Ａに示すようにハンドル１１０が押し下げられると、押圧軸１１２を介して天板１２０が押し下げられ、さらに、天板１２０がベース１０１に向かって案内されつつ移動する。天板１２０が押し下げられると、天板１２０に支持された舌片処理部１２３ａがベース１０１に向かって降下する。舌片処理部１２３ａは、天板１２０を介してさらに降下されて、配置台１０２およびベース１０１上に配置された紙葉類に押し当たる。さらに天板１２０が降下されると、紙葉類に押し当たった舌片処理部１２３ａの先端のパンチ刃１２３ｃが紙葉類に穿孔する。また、切込み刃１２２ａも降下し、紙葉類に対して、穿孔部位よりも内側の位置に切込みを入れる。内側とは、紙綴じ具１００の背面と正面とを結ぶ紙綴じ具１００の中心線（図２ＡＢ−Ｂ線）側を意味する。
【００３３】
さらに舌片処理部１２３ａが降下すると、舌片処理部１２３ａの基部側の鉤状部（図３Ｂ符号１２３０参照）の下面（ベース１０１側の面）が、ベース１０１の隆起部１０１ａの先端に当接する。その結果、図３Ｂに示すように、舌片処理部１２３ａが略正面方向（図３ＢのＸ２方向）に回動する。舌片処理部１２３ａが回動すると、穿孔により形成された舌片が、突部１２３ｅによって上方（天板１２０側）に折り曲げられる。折り曲げられた舌片は、切込みに押し込まれる。切込みに押し込まれた舌片は切込みに係合する。それにより、複数の紙葉類の綴着がなされる。
【００３４】
なお、図４に示すように、切込みの幅と舌片の幅との関係は例えば次のようになる。図４は、紙綴じ具１００における切込み刃１２２ａ、１２２ｂと、穿孔によって形成された舌片との幅の差を概念的に示す概略図である。なお、説明の便宜上、図４に示すように、舌片の幅をａ´ｂ´とする。また、切込みの幅を切込み刃１２２ａ、１２２ｂの幅に等しいと仮定してｃ´ｄ´とする。切込みに舌片が挿入されることから、切込みの幅と舌片の幅の関係はｃ´ｄ´＞ａ´ｂ´となる。
【００３５】
ここで、切込みに係合された舌片が移動しないように固定することによって綴着強度を確保しようとした場合、切込みの幅は舌片の幅とほぼ同じとなる（ｃ´ｄ´−ａ´ｂ´≒０ｍｍ）。一方、閲覧者は、綴じられた紙葉類を１枚１枚めくってこれを閲覧する。よって、切込みの幅と舌片の幅をほぼ同じにして幅の差を設けない場合には、このめくり動作により、切込みにおける幅方向端部と舌片における幅方向端部との接点に負担が大きくかかり、切込みの端部が破けてしまうおそれがある。したがって、切込みの端部の強度を考慮して、切込みの幅と舌片の幅との差を、例えば２ｍｍ以上とすることができる。つまり、舌片の幅方向における端部それぞれから、切込みの幅方向の端部までの長さを１ｍｍほど空けるように、切込み刃１２２ａ、１２２ｂの幅を形成することができる。
【００３６】
（舌片処理部・パンチ刃ガイド）
次に、図５Ａ、図５Ｂおよび図６を参照して、舌片処理部１２３ａ、１２３ｂについて、その回動方向と、天板１２０に対する接続方向とを説明する。また、配置台１０２のパンチ刃ガイド１０６ａ、１０６ｂについて説明する。パンチ刃ガイド１０６ａ、１０６ｂは、パンチ刃１２３ｃ、１２３ｄをガイドする。図５Ａは、紙綴じ具１００において、舌片処理部１２３ａ、１２３ｂの回動前の状態を示す概略底面図である。図５Ｂは、紙綴じ具１００において、舌片処理部１２３ａ、１２３ｂの回動後の状態を示す概略底面図である。図６は、紙綴じ具１００によって紙葉類の角を綴着した状態を示す概略図である。
【００３７】
図５Ａに示すように、紙綴じ具１００においては、配置台１０２の中央からやや正面寄りに、パンチ刃ガイド１０６ａ、１０６ｂが、配置台１０２の上面から下面を貫通して設けられている（適宜、図８下部参照）。パンチ刃ガイド１０６ａ、１０６ｂは、パンチ刃１２３ｃ、１２３ｄの降下および回動をガイドする。パンチ刃ガイド１０６ａ、１０６ｂの配置から分かるように、舌片処理部１２３ａは、舌片処理部１２３ｂと所定の角度α（図６）をなして天板１２０に支持されている。すなわち、パンチ刃１２３ｃ、１２３ｄの方向と、突部１２３ｅ、１２３ｆの回動方向とを結ぶ仮想延長線は、所定の角度αで交差する。
【００３８】
また、パンチ刃１２３ｃ、１２３ｄに挟まれるようにして、切込み刃１２２ａ、１２２ｂが設けられている。切込み刃１２２ａ、１２２ｂは、天板１２０によって支持されている。切込み刃１２２ａ、１２２ｂの刃の向きは、突部１２３ｅ、１２３ｆの回動方向に対して略直交している。以上のような構成によれば、パンチ刃１２３ｃ、１２３ｄは互いに向き合う方向に回動し、各舌片を折り曲げる。その結果、図５Ｂに示すように、パンチ刃１２３ｃ、１２３ｄによって形成された舌片は、舌片処理部１２３ａ、１２３ｂの回動によって、互いに向き合う方向に折り曲げられる（図２Ａ参照）。また、切込み刃１２２ａ、１２２ｂが、突部１２３ｅ、１２３ｆの回動方向に対して略直交しているので、突部１２３ｅ、１２３ｆが折り曲げた舌片を切込みに押し込むことができる。
【００３９】
その結果、図６に示すように、切込みに係合された舌片は互いに向き合い、舌片の突出方向の仮想延長線は正対もしくは交差する。さらに上述の通り、舌片処理部１２３ａ及び、舌片処理部１２３ｂそれぞれの回動方向を結ぶ線によってなされる角度が、所定の角度αとなるように天板１２０に取り付けられている。ここで、本実施形態の紙綴じ具１００においては、所定の角度αを、およそ９０°から１８０°程度とする。なお角度αは、図６に示すように、紙綴じ具１００に対する紙葉類の差込方向に向かって見た場合の角度である。なお、角度αを１８０°未満、例えば９０°〜１５０°程度にすることで、紙葉類の角を好適に綴ることができる。すなわち、綴じられた紙葉類の角の領域に印刷等がされている場合、この印刷部分に舌片や穿孔された穴が重なってしまうと、その印刷内容が認識できなくなるおそれがある。これに対し、角度αが例えば９０°〜１５０°程度であればそのような事態を回避することが可能である。
【００４０】
このように角度αを定めることにより、綴着が解けやすいめくり方向が生じないようにすることが可能である。すなわち、舌片の一方を切込みに挿入した方向とは逆の方向に紙葉類がめくられた場合においても、このような舌片を切込みから外すような紙葉類の動きを、切込みに係合された他方の舌片の存在によって抑止、または阻止できる。したがって、紙葉類の綴着強度を確保することが可能である。また、舌片によって紙葉類を綴着するよう構成されているので、ステープルや糊材のような綴着材を用いずに複数の紙葉類を綴着させることができる。それにより、シュレッダーやＡＤＦ（Ａｕｔｏ Ｄｏｃｕｍｅｎｔ Ｆｅｅｄｅｒ）の破損が生じる事態を回避できる。さらに、綴着材の補充が不要であるから、継続的に使用する場合であっても、煩雑な綴着材の交換作業を回避できる。
【００４１】
（押さえ部）
次に、図７Ａおよび図７Ｂを参照し、紙綴じ具１００について説明する。図７Ａは、図２ＡにおけるＢ−Ｂ部分の断面であって、ハンドル１１０の回動前における押さえ部１２１の状態を示す概略Ｂ−Ｂ断面図である。図７Ｂは、図２ＡにおけるＢ−Ｂ部分の断面であって、ハンドル１１０の回動後における押さえ部１２１の状態を示す概略Ｂ−Ｂ断面図である。
【００４２】
紙綴じ具１００においては、天板１２０の下面からベース１０１、配置台１０２側に突出するガイドポスト１２０ａ（図７Ａ）およびガイドポスト１２０ｂ（図８）が設けられている。ガイドポスト１２０ａ、１２０ｂは、押さえ部１２１から天板１２０側に突出する第１筒部１２１ａ、１２１ｂ（図８）に挿通されている。この挿通構成により、天板１２０が第１筒部１２１ａ、１２１ｂにガイドされて降下する。さらに、天板１２０と押さえ部１２１との間であり、かつ、ガイドポスト１２０ａおよび第１筒部１２１ａの周囲には、第１弾性部材１２１ｃが設けられている（図７Ａ、図８）。同様にガイドポスト１２０ｂおよび第１筒部１２１ｂの周囲には、第１弾性部材１２１ｄが設けられている（図８）。第１弾性部材１２１ｃ、１２１ｄとしては、例えばコイルバネやゴム部材が用いられる。
【００４３】
また、ハンドル１１０が最もベース１０１から離れている状態において、第１弾性部材１２１ｃ、１２１ｄの長さは、天板１２０と押さえ部１２１の間の距離とほぼ同じである。ただし、この第１弾性部材１２１ｃの長さは単なる一例であり、紙綴じ具１００はこのような構成には限定されない。この構成によれば、天板１２０が押し下げられたときに、まず、第１弾性部材１２１ｃ、１２１ｄが付勢力に抗して縮められる。
【００４４】
このような構成によれば、紙葉類の穿孔開始の時点よりも前に、配置台１０２およびベース１０１に載置された紙葉類を、押さえ部１２１が押さえつける（図７Ｂ）。したがって、紙葉類の穿孔開始時には、紙葉類の間にずれが生じないように、紙葉類全体を保持することができる。すなわち、紙綴じ具１００によって綴じられた紙葉類は、１枚１枚のずれが生じにくい。結果として、紙葉類の綴着を整然と仕上げることが可能となる。さらに、このようにずれが生じないことにより、綴着強度を確保できる。
【００４５】
さらに、天板１２０の正面側には、ベース１０１に向かって突出する突出部１２０１が設けられている（図７Ａ）。突出部１２０１の長さは、例えば、天板１２０と押さえ部１２１とが最も離れた距離よりも短く、かつ、両者が最も近づいたときの距離よりもやや長く形成される。また、ベース１０１上の突出部１２０１に対応する位置には、突出部１２０１に押し当たる第２弾性部材１０５ａ、１０５ｂ（図７Ａ、図８）が設けられている。
【００４６】
したがって、配置台１０２およびベース１０１に載置された紙葉類を押さえ部１２１が押さえつけた後には、突出部１２０１が第２弾性部材１０５ａ、１０５ｂに当接する。紙綴じ具１００によって穿孔が開始されるときには、突出部１２０１と第２弾性部材１０５ａ、１０５ｂが、穿孔荷重の調整をサポートする（図７Ｂ）。すなわち、紙綴じ具１００においては、第１段階として、紙葉類を保持し、第２段階として、この保持された紙葉類に対し、穿孔荷重の調整がサポートされた状態で、穿孔を行う。結果として、綴じられた紙葉類は、１枚１枚のずれが生じにくくなる。それにより仕上がりが整然となり、綴着強度が確保される。
【００４７】
（ゲージ台）
次に、図１Ａおよび図８を参照して、紙綴じ具１００におけるゲージ台１０２ａ、１０２ｂについて説明する。図１Ａに示すように、配置台１０２の上面（天板１２０側の面）の両側端部には、一対のゲージ台１０２ａ、１０２ｂが設けられている。各ゲージ台１０２ａ、１０２ｂは、当該上面から隆起しており、隆起した部分の上面は平面状に形成されている。ゲージ台１０２ａ、１０２ｂは、紙葉類の角部分を綴着する時に好適な部材である。ゲージ台１０２ａ、１０２ｂは、パンチ刃ガイド１０６ａ、１０６ｂの位置に紙葉類の角部分が留め置かれるように案内する（図８）。すなわち、ゲージ台１０２ａ、１０２ｂは、パンチ刃ガイド１０６ａ、１０６ｂの交差点に向かって挿入される紙葉類の角部分が、当該交差点の位置に合致するように形成されている。ユーザーは、ゲージ台１０２ａ、１０２ｂの側面に沿って紙葉類をパンチ刃ガイド１０６ａ、１０６ｂへと差し込むことで、紙葉類の角部分を綴着する場合における位置合わせを容易に行える。
【００４８】
さらに、各ゲージ台１０２ａ、１０２ｂの高さは、ベース１０１および配置台１０２から押さえ部１２１までの高さよりも低い。したがって、ゲージ台１０２ａ、１０２ｂを利用したくない場合、ユーザーは紙葉類をゲージ台１０２ａ、１０２ｂ上に乗せて穿孔を行えばよい。一方、ゲージ台１０２ａ、１０２ｂを利用する場合には、上記した位置合わせを行うことができる。すなわち、ゲージ台１０２ａ、１０２ｂは、必要に応じて位置合わせを行えるように構成され、かつ、ユーザーの要求する使用方法に応じて紙葉類を綴着できるものである。
【００４９】
（各部の構成）
次に、図８を参照して、紙綴じ具１００における各部の接続構成について概要を説明する。図８は、紙綴じ具１００における各部の接続関係の概要を示す概略分解斜視図である。
【００５０】
図８に示すように、ハンドル１１０には、第１の穴と第２の穴が設けられている。第１の穴は、背面側に回動軸１１１を挿通させる。第２の穴は、第１の穴とハンドル１１０の先端との間に押圧軸１１２を挿通させる。各支持板１０３ａ、１０３ｂには、この第１の穴に対応する位置に挿通孔が設けられている。挿通孔には回動軸１１１が挿通される。このように、回動軸１１１は、配置台１０２およびベース１０１に対して平行に、ハンドル１１０および支持板１０３ａ、１０３ｂに挿通される。
【００５１】
ハンドル１１０の第２の穴に挿通された押圧軸１１２の両端は、天板１２０に係合される。この構成により、ハンドル１１０は、天板１２０を支持する。天板１２０には、舌片処理部１２３ａ、１２３ｂが回動軸１２４ａ、１２４ｂを介して接続される。舌片処理部１２３ａ、１２３ｂが接続される天板１２０の面は、突部１２３ｅが、突部１２３ｆと角度αをなすように構成されている。切込み刃保持部１２２は、突部１２３ｅ、１２３ｆの間に切込み刃１２２ａ、１２２ｂが配置されるように、天板１２０に接続される。
【００５２】
ガイドポスト１２０ａ、１２０ｂと、第１弾性部材１２１ｃ、１２１ｄと、第１筒部１２１ａ、１２１ｂとの係合関係については上述の通りである。
【００５３】
押さえ部１２１は、第１筒部１２１ａ、１２１ｂの下面側からベース１０１の第２筒部１０１ｃ、１０１ｄと係合する。
【００５４】
（作用・効果）
次に、紙綴じ具１００の作用・効果について説明する。
【００５５】
紙綴じ具１００は、所定の角度αをおよそ９０°から１８０°程度に設定することにより、綴着が解けやすいめくり方向が生じないようになっている。すなわち、一方の舌片に対し、切込みへの挿入方向とは逆の方向に紙葉類がめくられた場合でも、舌片が切込みから外れてしまうような紙葉類の動きが、切込みに係合された他方の舌片の存在によって抑止、または阻止される。したがって、紙葉類の綴着強度を確保することが可能である。また、舌片によって紙葉類を綴着するので、ステープルや糊材のような綴着材を用いずに複数の紙葉類を綴着させることができる。それにより、シュレッダーやＡＤＦの破損が生じる事態を回避することができる。さらに、綴着材の補充が不要であり、継続的に使用する場合であっても、煩雑な綴着材の交換作業を回避することが可能である。
【００５６】
また、紙綴じ具１００においては、切込みの幅と舌片の幅との差が、例えばおよそ２ｍｍに設定される。つまり、舌片の幅方向における各端部から、切込みの幅方向の端部までの長さを１ｍｍほど空けるように、切込み刃１２２ａ、１２２ｂの幅が設定される。したがって、１枚１枚紙葉類をめくるときに、切込みの幅方向の端部と舌片の幅方向の端部との接点に大きな負担がかかることがないので、切込みの端部が破けてしまうおそれを回避できる。
【００５７】
また、紙綴じ具１００においては、第１段階として、紙葉類を保持し、第２段階として、保持された紙葉類に対し、穿孔荷重が調整された状態で、穿孔を行う。結果として、綴じられた紙葉類は、１枚１枚のずれが生じにくくなり、整然と仕上げられ、かつ綴着強度が確保される。さらに、図６に示すように本実施形態の紙綴じ具１００において、舌片同士がなす角度αを１８０°未満、例えば９０°〜１５０°程度にした場合、紙葉類の角を綴るときに好適である。すなわち、綴じられた紙葉類の角の領域の印刷部分が見えづらくなるおそれを回避できる。
【００５８】
［第２実施形態］
次に、この発明の第２実施形態にかかる紙綴じ具２００について、図９〜図１４を参照して説明する。図９Ａは、紙綴じ具２００の外形を示す概略斜視図である。図９Ｂは、図９Ａとは反対の側から見た場合における紙綴じ具２００の外形および紙綴じ具２００の内部構造を透視した概略斜視図である。
【００５９】
（全体構成）
紙綴じ具２００の基本的な構成は、第１実施形態にかかる紙綴じ具１００と共通である。すなわち、紙綴じ具２００には、ベース２０１を土台として支持板２０３ａ、２０３ｂが一対設けられている。ただし、紙綴じ具２００においては、ベース２０１が配置台と共通になっているか、または配置台が設けられない。また、支持板２０３ａ、２０３ｂの間には回動軸２１１が挿通されている。ハンドル２１０は、回動軸２１１を介して、支持板２０３ａ、２０３ｂに回転可能に支持されている。ハンドル２１０は、その先端が配置台２０２やベース２０１から離れる方向（斜め上方）に突出している。
【００６０】
（支持板）
支持板２０３ａでは、回動軸２１１が通された支持板２０３ａ、２０３ｂの穴が長穴となっている（図１０中の符号２１３ｄ参照）。この長穴の幅および長さは、回動軸２１１の径よりも長く形成される。これにより、回動軸２１１は、長穴に対して遊びを有する。また、支持板２０３ａ、２０３ｂには、押圧軸２１２をガイドするガイド穴（符号２０３ｄ参照）が設けられている。押圧軸２１２はハンドル２１０に挿通され、ハンドル２１０の回動に応じて天板２２０を押し下げるものである。このガイド穴は、ベース２０１の上面に対して直交する方向を長さ方向とする直線状の長穴形状となっている。また、このガイド穴の両端は、円弧（半円）状になっている。また、このガイド穴の幅は、押圧軸２１２が往復移動可能に挿通されるように、押圧軸２１２の径よりもやや大きく形成される。またこの長穴は、ハンドル２１０の基部が配置される側に設けられている。また、このガイド穴の上端は、ハンドル２１０の先端と長穴とを結ぶ線上の近傍に設けられる。
【００６１】
（挿入口）
紙綴じ具２００においても、第１実施形態にかかる紙綴じ具１００と同様に、天板２２０と押さえ部２２１が、ハンドル２１０とベース２０１との間に設けられている。また、押さえ部２２１は、ベース２０１と所定間隔を空けて設けられている。この間隔が紙葉類の挿入口２０４となる。ただし、紙綴じ具２００においては、紙葉類の挿入方向は正面から背面に向かう方向である。この点において、紙綴じ具２００は、一般的な穿孔パンチと同様である。なお、この挿入方向は、第１実施形態にかかる紙綴じ具１００における紙葉類等の挿入方向とは逆となる。
【００６２】
（回動軸・押圧軸の支持構造）
次に、支持板２０３ａ、２０３ｂとハンドル２１０における回動軸２１１および押圧軸２１２の支持構造について、図９Ａ、図９Ｂおよび図１０Ａを参照して説明する。図１０Ａは、紙綴じ具２００のハンドル２１０が回動する前における舌片処理部２２３ａ等の紙綴じ具の内部構造の状態を透視した概略左側面図である。
【００６３】
《支持板の軸支持構造》
回動軸２１１は、支持板２０３ａ、２０３ｂの回動軸穴に挿通されて支持される。図９Ａに示すように、回動軸穴は略円形状になっている。また、この回動軸穴の径は、回動軸２１１の径よりもやや大きく形成されている。それにより、回動軸２１１は、支持板２０３ａ、２０３ｂに対して軸中心位置がほぼ変位しない状態で回転可能となる。
【００６４】
また、回動軸穴は、支持板２０３ａ、２０３ｂにおいて、ガイド穴２０３ｄの長手方向における上端と下端を結ぶ線分の垂直２等分線上に形成される。つまり、ガイド穴２０３ｄの上端と下端を底辺とし、回動軸穴を頂点として略２等辺三角形が形成されるように位置が定められる（図１０Ａ）。
【００６５】
《ハンドルの軸支持構造》
また、図１０Ａに示すように、ハンドル２１０には、長穴２１３ｄと押圧軸穴が設けられている。長穴２１３ｄには回動軸２１１が挿通される。押圧軸穴には押圧軸２１２が通される。長穴２１３ｄは、ハンドル２１０において、支持板２０３ａ、２０３ｂの回動軸穴に対応する位置に形成される。図１０Ａに示すように、長穴２１３ｄは、ハンドル２１０の回動前においては、ガイド穴２０３ｄの上端に向かって、ガイド穴２０３ｄに対して傾斜している。
【００６６】
また、長穴２１３ｄは、回動軸２１１に対して幅の遊びを有する。したがって、回動軸２１１は、長穴２１３ｄの範囲内で移動可能になる。それにより、ガイド穴２０３ｄに対する押圧軸の摩擦力を吸収することが可能となる。さらに、長穴２１３ｄは、回動軸２１１（支点）と押圧軸２１２（作用点）との間の距離が離れすぎないように、つまり回動軸２１１の移動量を最小とするように形成される。つまり、長穴２１３ｄは、摩擦力を軽減させることにより、穿孔する際に必要な荷重を軽減させるものである。
【００６７】
また、押圧軸穴の径は、押圧軸２１２の軸中心位置が保持されるように、押圧軸２１２の径に対応したサイズに設定される。軸中心位置が保持されることで、押圧軸２１２とハンドル２１０との位置関係が固定される。それにより、ハンドル２１０（力点）に加えられた力が、押圧軸２１２（作用点）に効率よく伝わる。
【００６８】
以上から、紙綴じ具２００によれば、穿孔する際に必要な荷重を軽減できるので、穿孔の省力化を図ることが可能である。第１に、ハンドル２１０が回動されたときに、遊びを有する長穴２１３ｄが、ハンドル２１０と回動軸２１１との位置関係を調整する。これによって、押圧軸２１２とガイド穴２０３ｄとの間で生じる摩擦力が軽減される。第２に、パンチ刃２２３ｄ等が穿孔を開始する時点、つまり押圧軸２１２がガイド穴２０３ｄの中間に位置する時点において、長穴２１３ｄの遊びの作用により、ガイド穴２０３ｄに対して回動軸２１１が最も近接される。このように、大きな荷重が必要な穿孔時に、支点と作用点とをできる限り近接させることで、ハンドル２１０に加わった力を効率よく作用させることが可能となる。
【００６９】
（動作の概要）
次に、紙綴じ具２００による紙綴じ工程の概略について、図１０Ａ、図１０Ｂおよび図１１を参照して説明する。なお、第１実施形態にかかる紙綴じ具１００と共通の構成については概要のみを説明する。図１０Ｂは、穿孔前の舌片処理部等の概要を示すものであり、図１０ＡにおけるＡ−Ａ断面の概要を示す概略Ａ−Ａ断面図である。図１１は、図１０ＡにおけるＡ−Ａ部分の断面を示し、紙綴じ具のハンドルが押し下げられて、穿孔、舌片の折り曲げおよび舌片の押し込みが完了した状態における、舌片処理部等の概要を示す概略Ａ−Ａ断面図である。
【００７０】
ハンドル２１０がベース２０１側に回動されると、この回動動作にしたがって、押圧軸２１２が当接している天板２２０がベース２０１側に押し下げられる。天板２２０には、ベース２０１に向かって突出する複数のガイドポスト（図１０Ｂ参照）が設けられている。各ガイドポストは、押さえ部２２１の第１筒部（図示省略）の内部に挿通されている。各ガイドポストおよび第１筒部により、天板２２０は、ハンドル２１０の回動にともなって案内され、垂直に（ベース２０１の上面に直交する方向に）降下する。
【００７１】
なお、切込み刃２２２ａおよび舌片処理部２２３ａの構成および動作については、第１実施形態と同様である。すなわち、図１０Ｂに示す状態から図１１に示す状態への変化において、ハンドル２１０が押し下げられると、天板２２０はベース２０１に向かって案内されつつ押し下げられる。天板２２０が押し下げられると、舌片処理部２２３ａが降下し、パンチ刃２２３ｃが紙葉類に穿孔する。また、切込み刃２２２ａも降下して、紙葉類に対する穿孔位置よりも内側に切込みを入れる。
【００７２】
舌片処理部２２３ａはさらに降下して、隆起部２０１ａの先端に当接する。その結果、図１１に示すように、舌片処理部２２３ａは紙葉類の挿入方向と略直交する方向に回動し、突部２２３ｅによって舌片を折り曲げる。折り曲げられた舌片は、切込みに押し込まれる。押し込まれた舌片は切込みに係合する。それにより、複数の紙葉類の綴着がなされる。なお、切込みの幅と舌片の幅との関係は第１実施形態と同様であり、説明を割愛する。
【００７３】
（舌片処理部の回動方向・パンチ刃ガイド）
次に、図９Ｂ、図１０Ｂ、図１１および図１２を参照し、舌片処理部２２３ａ、２２３ｂについて、その回動方向および天板２２０に対する接続方向を説明する。さらに、これら図面を参照し、パンチ刃２２３ｃ、２２３ｄをガイドするベース２０１のパンチ刃ガイド２０６ａ、２０６ｂについて説明する。図１２は、紙綴じ具２００によって紙葉類の縁を綴着した状態を示す概略図である。
【００７４】
図９Ｂに示すように、紙綴じ具２００には、パンチ刃ガイド２０６ａ、２０６ｂが設けられている。パンチ刃ガイド２０６ａ、２０６ｂは、ベース２０１の背面側寄りに、パンチ刃２２３ｃ、２２３ｄの降下および回動をガイドする。図９Ｂ、図１０Ａ、図１１Ｂに示すように、舌片処理部２２３ａは、舌片処理部２２３ｂと略直線状に天板２２０に取り付けられる。すなわち、舌片処理部２２３ａ、２２３ｂは、互いの突部２２３ｅ、２２３ｆが向かい合うように、かつ、各突部２２３ｅ、２２３ｆの突出方向の仮想延長線がなす角度が略１８０°になるように、天板２２０に取り付けられる。したがって、パンチ刃２２３ｃ、２２３ｄによって形成された舌片は、舌片処理部２２３ａ、２２３ｂの回動によって、互いにほぼ正対する方向に折り曲げられる（図１０Ｂ参照）。
【００７５】
その結果、図１２に示すように、切込みに係合された舌片同士は互いに向き合い、舌片の突出方向の延長線は正対する。
【００７６】
このように角度１８０°を適用することで、綴着が解けやすいめくり方向が生じないようにできる。すなわち、一方の舌片を切込みに挿入した方向とは逆の方向に紙葉類をめくることが困難になり、舌片が切込みから外れてしまう紙葉類の動きを、切込みに係合された他方の舌片の存在により抑止、または阻止することができる。したがって、紙葉類の綴着強度を確保することが可能である。また、舌片によって紙葉類を綴着するので、綴着材を用いずに複数の紙葉類を綴着することができる。それにより、シュレッダーや複写機のＡＤＦの破損が生じる事態を回避することが可能になる。さらに、綴着材を補充する必要がなく、継続的に使用する場合であっても、煩雑な綴着材の交換作業を回避することが可能である。
【００７７】
（天板・押さえ部）
図１３Ａは紙綴じ具２００の外形および紙綴じ具２００の内部構造を透視した概略上面図である。図１３Ｂは、図１３ＡにおけるＢ−Ｂ断面であって、かつ、ハンドル２１０の回動前における押さえ部２２１の状態を示す概略Ｂ−Ｂ断面図である。図１４は、図１３ＡにおけるＢ−Ｂ断面であって、かつ、ハンドル２１０の回動後における押さえ部２２１の状態を示す概略Ｂ−Ｂ断面図である。天板２２０および押さえ部２２１の構成については、図１３Ａ、図１３Ｂと図１４に示すように第１実施形態と同様である。
【００７８】
すなわち、紙綴じ具２００においては、天板２２０の天板下面からベース２０１、側に突出するガイドポスト２２０ａ（図１３Ａ）およびガイドポスト２２０ｂ（図１３Ａ）が設けられている。ガイドポスト２２０ａ、２２０ｂは、押さえ部２２１から天板２２０側に突出する第１筒部２２１ａ、２２１ｂ（図１３Ａ）に挿通されている。この挿通構成により、天板２２０が第１筒部２２１ａ、２２１ｂにガイドされて降下する。さらに、天板２２０と押さえ部２２１との間であり、かつ、ガイドポスト２２０ａおよび第１筒部２２１ａの周囲には、第１弾性部材２２１ｃが設けられている（図７Ａ、図８）。同様にガイドポスト２２０ｂおよび第１筒部２２１ｂの周囲には、第１弾性部材２２１ｄが設けられている（図９Ｂ）。第１弾性部材２２１ｃ、２２１ｄとしては、例えばコイルバネやゴム部材が用いられる。
【００７９】
また、ハンドル２１０が最もベース２０１から離れている状態において、第１弾性部材２２１ｃ、２２１ｄの長さは、天板２２０と押さえ部２２１の間の距離とほぼ同じである。ただし、この第１弾性部材２２１ｃの長さは単なる一例であり、紙綴じ具２００はこのような構成には限定されない。この構成によれば、天板２２０が押し下げられたときに、まず、第１弾性部材２２１ｃ、２２１ｄが付勢力に抗して縮められる。また図示を省略するが、第２実施形態においても第１実施形態と同様のゲージ台を備えることが可能である。なお、ガイドポスト、第１筒部、第１弾性部材の組み合わせは、図１３Ａ、図９に示すように第１実施形態の紙綴じ具と異なり、１対だけでなく２対又は３対設けても良い。
【００８０】
さらに、天板２２０の正面側には、ベース２０１に向かって突出する突出部（不図示）が設けられている。突出部の長さは、例えば、天板２２０と押さえ部２２１とが最も離れた距離よりも短く、かつ、両者が最も近づいたときの距離よりもやや長く形成される。また、ベース２０１上の突出部に対応する位置には、突出部に押し当たる第２弾性部材２０５ａ（不図示）、２０５ｂ（図１４）が設けられている。
【００８１】
なお、ベース２０１は、本発明の「基台」、「配置領域」の一例に該当する。また、ハンドル２１０は、本発明の「把手部材」の一例に該当する。天板２２０は、本発明の「天面部」の一例に該当する。押さえ部２２１は、本発明の「底面部」を含む一例に該当する。
【００８２】
（穿孔間隔）
紙綴じ具２００において、穿孔される一対の穴の間隔を８０ｍｍとし、かつ各穴のサイズを６ｍｍとすると、ＪＩＳ規格のパンチ穴に適合する。このように構成することにより、穿孔した穴をそのまま２穴用ファイルにファイリングすることが可能となる。
【００８３】
（作用・効果）
上記説明したように、紙綴じ具２００によれば、舌片の一方に対し、切込みへの挿入方向とは逆の方向に紙葉類がめくられた場合であっても、舌片が切込みから外れてしまうような紙葉類の動きを、切込みに係合された他方の舌片の存在によって抑止、または阻止できる。したがって、紙葉類の綴着強度を確保することが可能である。また、舌片によって、紙葉類を綴着するので、ステープルや糊材のような綴着材を用いずに複数の紙葉類を綴着させることができる。それにより、シュレッダーや複写機のＡＤＦの破損が生じる事態を回避することが可能である。さらに、綴着材を補充する必要がなく、継続的に使用する場合であっても、煩雑な綴着材の交換作業を行わなくてよい。
【００８４】
次に、第１実施形態および第２実施形態から把握できる技術的思想について以下に追記する。
【００８５】
（イ）前記パンチ刃と前記突部とは一体に形成されており、
前記把手部材の回動にしたがって前記保持部とともに前記パンチ刃が前記基台の方向に押し下げられると、該パンチ刃によって前記基台上に配置された前記紙葉類に穿孔が行われて前記切片が形成され、かつ前記切込み刃によって該穿孔された穴の間に前記各切込みが形成され、
前記切片および前記切込みが形成された後、前記保持部がさらに押し下げられると、該切込み側へ前記突部の先端が回動して、該切片を該切込み方向へ折り曲げること、
を特徴とする請求項１に記載の紙綴じ具。
（ロ）前記基台には、前記把手部材の方向に立設する隆起部が設けられており、
前記突部は前記保持部に回動可能に支持され、
前記切片および前記切込みが形成された後、前記保持部がさらに押し下げられると、前記隆起部が前記突部の一部に押し当たり、該切込み側へ前記突部の先端が回動して、該切片が該切込み方向へ折り曲げられること、
を特徴とする請求項１に記載の紙綴じ具。
（ハ）前記把手部材および前記支持板には、該把手部材を回動させるための回動軸が挿通されており、かつ該把手部材における突出方向の先端と該回動軸との間には押圧軸が設けられており、
前記基台または前記支持板には、前記把手部材の回動にともなう前記保持部の移動方向を直接または間接に案内するガイド部が設けられており、
前記把手部材が前記基台方向に回動されると、前記支持部材は前記押圧軸を介して押し下げられ、前記ガイド部材に案内されて該基台に向かって移動すること、
を特徴とする請求項１に記載の紙綴じ具。
（ニ）前記ガイド部は、前記基台に設けられるとともに前記保持部へ向かって立設した支柱または筒部と、該支柱または該筒部に係合するとともに該保持部に設けられた筒部または支柱と、を備えていること、
を特徴とする上記（ハ）に記載の紙綴じ具。
（ホ）前記保持部と前記基台との間に前記紙葉類を配置する配置領域を有し、
前記保持部は、前記把手部材側において前記押圧軸と接する天面部と、前記基台上の前記紙葉類を押さえる底面部と、を有し、
前記回動軸側から前記配置領域へ前記紙葉類を挿入可能となるように、該回動軸側が開放されていること、
を特徴とする上記（ハ）に記載の紙綴じ具。
（ヘ）前記保持部と前記基台との間に前記紙葉類を配置する配置領域を有し、
前記保持部は、前記把手部材側において前記押圧軸と接する天面部と、前記基台上の前記紙葉類を押さえる底面部と、を有し、
前記把手部材の先端側から前記配置領域へ前記紙葉類を挿入可能となるように、該把手部材の先端側が開放されていること、
を特徴とする上記（ハ）に記載の紙綴じ具。
（ト）前記基台上における、前記紙葉類が挿入される側であって該基台の前記両側方において一対のゲージ台が設けられ、
前記ゲージ台は、前記紙葉類の角部分が前記配置領域における前記パンチ刃の通過箇所へ留め置かれるように案内すること、
を特徴とする上記（ホ）または上記（ヘ）に記載の紙綴じ具。
（チ）前記ゲージ台それぞれの高さは、前記基台から前記底面部までの高さより低く形成され、
前記紙葉類が前記ゲージ台の間を通されるときは、前記紙葉類の角部分が前記通過箇所へ留め置かれるように案内され、前記紙葉類が該ゲージ台上に乗るように通されて前記配置領域に挿入されるときは、該紙葉類を該案内しないこと、
を特徴とする上記（ト）に記載の紙綴じ具。
【００８６】
（変形例）
以上の実施形態にかかる紙綴じ具の変形例について、図６、図１２および図１５を参照して以下に説明する。図１５は、紙綴じ具１００、紙綴じ具２００の変形例によって紙葉類の角を綴着した状態を示す概略図である
【００８７】
上記実施形態にかかる紙綴じ具１００、紙綴じ具２００では、図６や図１２に示すような角度αを適用したが、紙葉類の角を綴る場合においては、図１５に示すように角度αを９０°に設定することも可能である。このような構成においても、紙葉類の綴着強度を確保することが可能である。
【００８８】
また第２実施形態にかかるハンドル２１０には、回動軸２１１が挿通される長穴が設けられている。さらに、ハンドル２１０には、押圧軸２１２が挿通されるガイド穴が設けられている。しかしながら、第２実施形態の紙綴じ具２００に対し、図８に示すような第１実施形態のハンドル１１０のように、第１の穴と第２の穴を設ける構成を適用してもよい。つまり、回動軸２１１と押圧軸２１２はそれぞれ、ほぼ遊びがない穴に支持されていてもよい。
【００８９】
また、第２実施形態にかかる舌片処理部２２３ａ、２２３ｂは、互いの突部２２３ｅ、２２３ｆが向かい合うように、かつ、各舌片処理部２２３ａ、２２３ｂがなす角度が略１８０°になるように、天板２２０に取り付けられる構成である。しかしながら、第２実施形態の紙綴じ具２００においても、第１実施形態のように、天板２２０に対して角度を付けるようにして舌片処理部２２３ａ、２２３ｂを取り付けてもよい（図６、図８参照）。
【符号の説明】
【００９０】
１００、２００  紙綴じ具
１０１、２０１  ベース
１０１ａ、２０１ａ  隆起部
１０１ｃ、１０１ｄ  第２筒部
１０２  配置台
１０２ａ、１０２ｂ  ゲージ台
１０３ａ、１０３ｂ、２０３ａ、２０３ｂ  支持板
１０４、２０４  挿入口
１０５ａ、１０５ｂ  第２弾性部材
１０６ａ、１０６ｂ、２０６ａ、２０６ｂ  パンチ刃ガイド
１１０、２１０  ハンドル
１１１、１２４ａ、１２４ｂ、２１１、２２４ａ  回動軸
１１２，２１２  押圧軸
１２０、２２０  天板
１２０ａ、１２０ｂ、２２０ｂ  ガイドポスト
１２１、２２１  押さえ部
１２１ａ、１２１ｂ  第１筒部
１２１ｃ、１２１ｄ  第１弾性部材
１２２  切込み刃保持部
１２２ａ、１２２ｂ、２２２ｂ  切込み刃
１２３ａ、１２３ｂ、２２３ａ、２２３ｂ  舌片処理部
１２３ｃ、１２３ｄ、２２３ｃ、２２３ｄ  パンチ刃
１２３ｅ、１２３ｆ、２２３ｅ、２２３ｆ  突部
１２０１  突出部
【図１Ａ】
2011052150.tif 000003
【図１Ｂ】
2011052150.tif 000004
【図２Ａ】
2011052150.tif 000005
【図２Ｂ】
2011052150.tif 000006
【図３Ａ】
2011052150.tif 000007
【図３Ｂ】
2011052150.tif 000008
【図４】
2011052150.tif 000009
【図５Ａ】
2011052150.tif 000010
【図５Ｂ】
2011052150.tif 000011
【図６】
2011052150.tif 000012
【図７Ａ】
2011052150.tif 000013
【図７Ｂ】
2011052150.tif 000014
【図８】
2011052150.tif 000015
【図９Ａ】
2011052150.tif 000016
【図９Ｂ】
2011052150.tif 000017
【図１０Ａ】
2011052150.tif 000018
【図１０Ｂ】
2011052150.tif 000019
【図１１】
2011052150.tif 000020
【図１２】
2011052150.tif 000021
【図１３Ａ】
2011052150.tif 000022
【図１３Ｂ】
2011052150.tif 000023
【図１４】
2011052150.tif 000024
【図１５】
2011052150.tif 000025
【図１６】
2011052150.tif 000026
【図１７】
2011052150.tif 000027
【国際調査報告】
2011052150.tif 000028
2011052150.tif 000029
2011052150.tif 000030
2011052150.tif 000031